(57)【要約】【課題】振動体から発生する振動を表示装置のフロント及びバックキャビネットへ効率的に分散して伝搬させ、この振動による表示画面や表示装置全体への影響を抑制できるようにする。【解決手段】表示装置は、取付け部５ａ〜５ｄの凹部に防振部材６ａ〜６ｄを挟持した状態のスピーカボックス３が、取付けねじ１０ａ〜１０ｄを用いて取付け部５ａ〜５ｄ，フロントキャビネット１のボス８ａ〜８ｄを介してフロントキャビネット１に取付け固定されると共に、スピーカボックス３の取付け部４の凹部に防振部材６ｅを挟持した状態で、バックキャビネット２の背面側から取付けねじ１１を用いてバックキャビネット２のボス９，スピーカボックス３の取付け部４，フロントキャビネットのボス８ｅがそれぞれ共締め固定されている。これにより、スピーカボックス３を表示装置のフロントキャビネット１及びバックキャビネット２によって一点で吊るように構成する。【選択図】図２
2004187271.tif 000002
【特許請求の範囲】
【請求項１】
フロントキャビネットとバックキャビネットとを有し、その内部に振動体を取り付けてなる表示装置において、
前記振動体の少なくとも一部が前記表示装置のフロントキャビネットとバックキャビネットとにより共締め固定されていることを特徴とする表示装置。
【請求項２】
フロントキャビネットとバックキャビネットとを有し、その内部に振動体を取り付けてなる表示装置において、
前記振動体の少なくとも一部が前記表示装置のフロントキャビネットとバックキャビネットとにより一点固定されていることを特徴とする表示装置。
【請求項３】
請求項１または２に記載の表示装置において、
該表示装置のフロントキャビネットとバックキャビネットに固定する前記振動体の位置は、該振動体の上部中央付近であることを特徴とする表示装置。
【請求項４】
請求項１乃至３のいずれか１に記載の表示装置において、
前記振動体を固定する前記表示装置のフロントキャビネットとバックキャビネットの位置は、前記表示装置の表示部外周の近傍であることを特徴とする表示装置。
【請求項５】
請求項４に記載の表示装置において、
前記振動体を固定する前記表示装置のフロントキャビネットとバックキャビネットの位置は、前記表示装置の表示部外周の水平方向における中央部近傍であることを特徴とする表示装置。
【請求項６】
請求項１乃至５のいずれか１に記載の表示装置において、
前記振動体は、内部に少なくとも１つのウーハー用スピーカユニットを有するバスレフ型スピーカボックスであることを特徴とする表示装置。
【請求項７】
請求項６に記載の表示装置において、
該表示装置のフロントキャビネットとバックキャビネットに固定する前記振動体の位置は、前記ウーハー用スピーカユニットの近傍であることを特徴とする表示装置。
【請求項８】
請求項１乃至７のいずれか１に記載の表示装置において、
前記振動体の少なくとも他の一部が前記表示装置のフロントキャビネットまたはバックキャビネットのいずれか一方に固定されていることを特徴とする表示装置。
【請求項９】
フロントキャビネットとバックキャビネットとを有し、その内部に振動体を取り付けてなる表示装置において、
前記振動体の少なくとも一部が前記表示装置のバックキャビネットに固定されていると共に、
前記振動体の少なくとも他の一部が前記表示装置のフロントキャビネットに固定されていることを特徴とする表示装置。
【発明の詳細な説明】
【技術分野】
【０００１】
本発明は、表示装置、より詳細には、フロントキャビネットとバックキャビネットとを有し、その内部にスピーカボックス或いはスピーカユニット等の振動体を取り付けてなる表示装置に関し、例えば薄型テレビジョン受像機などに用いて好適な表示装置に関するものである。
【背景技術】
【０００２】
従来、例えばテレビジョン受像機にスピーカユニット一体型のドーム型スピーカを取付ける場合、スピーカ本体の振動によるテレビ画面の揺れを防止するため、スピーカユニットの外周に設けた取付け孔（一般に２〜４個）を用いてテレビジョン受像機のフロントキャビネットもしくはバックキャビネット側に設けられた取付けボスあるいはフロントキャビネット本体の取付け部にねじ等で固定している。
【０００３】
例えば特開平９−６５２５１号公報（特許文献１）には、スピーカユニットをドーム本体とテレビジョン受像機のバックキャビネットに設けた嵌合リブで押圧固定するものが開示されている。また、テレビジョン受像機内部にスピーカボックスを固定するものとして、例えば特開平８−３３６１９４号公報（特許文献２）には、左右一対のスピーカボックスをテレビジョン受像機のフロントキャビネットに取り付けるものが開示されている。
【特許文献１】特開平９−６５２５１号公報
【特許文献２】特開平８−３３６１９４号公報
【発明の開示】
【発明が解決しようとする課題】
【０００４】
上述した従来のテレビジョン受像機は、いずれも表示装置にブラウン管を用いたものであるが、近年、液晶テレビやＰＤＰ（プラズマディスプレイ）テレビ、ＥＬテレビ等の薄型表示装置を用いた映像機器が増加しつつある。これらの薄型表示装置を用いたテレビジョン受像機の筐体内部に、ウーハースピーカ一体型の薄型スピーカボックスを取り付け、迫力ある低音を再生したいという要望がある。
【０００５】
しかしながら、中・高音用スピーカの再生時と異なり、ウーハー用スピーカ再生時はスピーカボックス内のスピーカユニット開口部（前面側）へ放出する低音の音圧以外にその背面側へ放出される音圧も高いために、該ウーハー用スピーカボックス外周に設けた複数の取付け部のそれぞれを用いて、前記テレビジョン受像機本体のフロントキャビネット側だけに取付け固定すると、スピーカボックスの振動がテレビジョン受像機本体のフロントキャビネット側のみに複数の取付け部を通じて伝導し、映像表示画面そのものや、受像機の筐体全体が振動するという問題が発生する。
【０００６】
特に、薄型の表示装置を用いたテレビジョン受像機の筐体内部にウーハー用スピーカボックスを内蔵すると、筐体が奥行き方向に薄型形状であり、筐体の奥行き空間が大きく取れないため、特にウーハースピーカユニット背面から放出される音圧によって、従来のブラウン管型テレビジョン受像機以上に表示画面や受像機本体が振動し易くなり、ウーハー出力を一定以上大きくすることができないという問題があった。
【０００７】
本発明は、上記課題を解決するためになされたもので、表示装置の筐体内部にウーハー用スピーカボックス等の振動体を取り付け固定しても、充分な低音の再生を可能とするとともに、表示画面の振動や筐体全体の振動を効果的に抑制することができる表示装置を提供すること、を目的としてなされたものである。
【課題を解決するための手段】
【０００８】
本願の第１の技術手段は、フロントキャビネットとバックキャビネットとを有し、その内部に振動体を取り付けてなる表示装置において、前記振動体の少なくとも一部が前記表示装置のフロントキャビネットとバックキャビネットとにより共締め固定されていることを特徴とする。
【０００９】
本願の第２の技術手段は、フロントキャビネットとバックキャビネットとを有し、その内部に振動体を取り付けてなる表示装置において、前記振動体の少なくとも一部が前記表示装置のフロントキャビネットとバックキャビネットとにより一点固定されていることを特徴とする。
【００１０】
本願の第３の技術手段は、第１または第２の技術手段において、該表示装置のフロントキャビネットとバックキャビネットに固定する前記振動体の位置が、該振動体の上部中央付近であることを特徴とする。
【００１１】
本願の第４の技術手段は、第１乃至第３のいずれか１の技術手段において、前記振動体を固定する前記表示装置のフロントキャビネットとバックキャビネットの位置が、前記表示装置の表示部外周の近傍であることを特徴とする。
【００１２】
本願の第５の技術手段は、第４の技術手段において、前記振動体を固定する前記表示装置のフロントキャビネットとバックキャビネットの位置が、前記表示装置の表示部外周の水平方向における中央部近傍であることを特徴とする。
【００１３】
本願の第６の技術手段は、第１乃至第５のいずれか１の技術手段において、前記振動体が、内部に少なくとも１つのウーハー用スピーカユニットを有するバスレフ型スピーカボックスであることを特徴とする。
【００１４】
本願の第７の技術手段は、第６の技術手段において、該表示装置のフロントキャビネットとバックキャビネットに固定する前記振動体の位置が、前記ウーハー用スピーカユニットの近傍であることを特徴とする。
【００１５】
本願の第８の技術手段は、第１乃至第７のいずれか１の技術手段において、前記振動体の少なくとも他の一部が前記表示装置のフロントキャビネットまたはバックキャビネットのいずれか一方に固定されていることを特徴とする。
【００１６】
本願の第９の技術手段は、フロントキャビネットとバックキャビネットとを有し、その内部に振動体を取り付けてなる表示装置において、前記振動体の少なくとも一部が前記表示装置のバックキャビネットに固定されていると共に、前記振動体の少なくとも他の一部が前記表示装置のフロントキャビネットに固定されていることを特徴とする。
【００１７】
本願発明の表示装置は、上記のような構成としているので、振動体から発生する振動を表示装置のフロントキャビネットとバックキャビネットとへ効率的に分散して伝搬することが可能となり、この振動による表示画面や表示装置全体への影響を抑制することができる。
【発明の効果】
【００１８】
本願発明の表示装置によれば、振動体から発生する振動を当該表示装置のフロントキャビネットとバックキャビネットとへ効率的に分散して伝搬することが可能となり、この振動による表示画面や表示装置全体への影響を抑制することができる。
【発明を実施するための最良の形態】
【００１９】
以下、本発明の表示装置の一実施形態として、薄型テレビジョン受像機に適用した場合について、図１乃至図６に基づいて説明する。尚、本実施形態では、表示装置として液晶パネルを用いたテレビジョン受像機（液晶テレビ）の筐体の下部にウーハー用のスピーカボックスを取付け固定するものについて説明するが、表示装置としてはＰＤＰやＥＬパネル等を用いたものであってもよい。
【００２０】
図１は本発明の一実施形態による薄型テレビジョン受像機の内部にスピーカボックスを取り付けた構成について示す側面図、図２は本発明の一実施形態による薄型テレビジョン受像機の内部にスピーカボックスを取り付けた場合の、後方（背面側）からみた部分斜視図、図３は本発明の一実施形態に適用されるスピーカボックスの前方（前面側）からみた外観斜視図、図４は本発明の一実施形態に適用されるスピーカボックスの底面図、図５は本発明の一実施形態による薄型テレビジョン受像機を前方からみた部分斜視図、図６は本発明の一実施形態による薄型テレビジョン受像機を示す要部側断面図である。
【００２１】
図１乃至図６において、１は液晶テレビジョン受像機のフロントキャビネット、２は同テレビジョン受像機のバックキャビネット、３はスピーカボックス、３ａはスピーカボックスのフロントキャビネット、３ｂは同スピーカボックスのバックキャビネットである。また、４，５ａ，５ｂ，５ｃ，５ｄはそれぞれスピーカボックス３のフロントキャビネット３ａ外周部に突設して設けられた取付け部であり、各取付け部４，５ａ〜５ｄの切り欠き部には、それぞれ６ａ，６ｂ，６ｃ，６ｄ，６ｅの円筒上の、例えばゴム部材からなる防振部材が挿入されて狭持される。７ａ，７ｂ，７ｃ，７ｄ，７ｅ，７ｆはそれぞれスピーカボックスのフロントキャビネット３ａとバックキャビネット３ｂとをねじ（図示せず）で固定するスピーカボックス取付け孔である。
【００２２】
また、８ａ，８ｂ，８ｃ，８ｄ，８ｅはそれぞれテレビジョン受像機のフロントキャビネット１の背面側（内方側）に、同キャビネット１と一体で内部方向に突出して設けられたボス、９は同テレビジョン受像機のバックキャビネット２の前面側（内方側）に、同キャビネット２と一体で内部方向に突出して設けられたボスである。さらに、１０ａ，１０ｂ，１０ｃ，１０ｄはそれぞれスピーカボックス３をテレビジョン受像機のフロントキャビネット１の背面側に設けた各ボス８ａ，８ｂ，８ｃ，８ｄに取付け固定するためのねじである。
【００２３】
１１はテレビジョン受像機のバックキャビネット２をスピーカボックス３の上部中央付近に設けられた取付け部４と一体でテレビジョン受像機のフロントキャビネット１の背面側に設けたボス８ｅに共締め固定するねじである。尚、テレビジョン受像機のフロントキャビネット１と同テレビジョン受像機のバックキャビネット２の固定には、前述したねじ１１以外の固定手段も使用されているが、本発明の課題に係わらないねじやボスは図示していない。１２はスピーカボックス３の内部に取り付けられているスピーカユニット、１３はスピーカボックス３の底面部に設けられた放音ダクトである。また、２０は画像を表示するための液晶パネル、２１は液晶パネル２０を当該テレビジョン受像機に取り付けるためのベゼルである。
【００２４】
次に、スピーカボックスを液晶テレビジョン受像機の筐体内部に取り付ける概要を説明する。図１に示すように、スピーカボックス３をまずテレビジョン受像機のフロントキャビネット１の下部にねじ１０ａ，１０ｂ，１０ｃ，１０ｄを用いて取り付けた後で、テレビジョン受像機のバックキャビネット２をテレビジョン受像機のフロントキャビネット１に固定する。
【００２５】
この時に、スピーカボックス３の上部中央付近に設けられた一つのスピーカボックス取付け部４については、テレビジョン受像機のバックキャビネット２の背面側（外方側）から取付けねじ１１を用いてテレビジョン受像機のフロントキャビネット１に設けられたボス８ｅとバックキャビネットに設けられたボス９とにより挟持した状態で共締めして押圧固定する。
【００２６】
図２に示すように、テレビジョン受像機のフロントキャビネット１の下部にはスピーカボックス取付け用ボス８ａ〜８ｅが設けられており、略長方体のスピーカボックス３の外周部に一体的に設けられた取付け部４、５ａ〜５ｄを該取付け用ボス８ａ〜８ｅに取り付ける。
【００２７】
尚、図３に示すように、該スピーカボックス３の内部には、ウーハー用のバスレフ型スピーカユニット１２が、その開口部を前面に向けた状態でねじ等の固定部材（図示せず）によって取付け固定されている。また、このスピーカボックス３の底面部は、図４に示すように、該バスレフ型スピーカの放音ダクト１３が設けられている。該放音ダクト１３は放音口が楕円状の外部ダクトで、所定の周波数成分をこの放音口からテレビ受像機筐体の下向きに放出する機能を有している。
【００２８】
以下、本実施形態のバスレフ型スピーカボックス３の取付け構造について説明する。図３に示すように、スピーカボックス３は横長の箱型スピーカボックスであり、スピーカボックス用のフロントキャビネット３ａと同バックキャビネット３ｂとの接合は、図４のＸ−Ｘ線上に示す双方の断面部分を接着剤等により接着後、図２に示すように、スピーカボックス３のバックキャビネット３ｂの背面側から各取付け孔７ａ〜７ｆを複数のねじ（図示せず）で締め付け固定することで、両キャビネット３ａ，３ｂの接合部における密閉性を高めている。
【００２９】
また、スピーカボックス３本体のフロントキャビネット３ａの外周部には、該スピーカボックス３をテレビジョン受像機の筐体に取付けるための複数の取付け部４，５ａ〜５ｄがフロントキャビネット３ａと一体で設けられているが、取付け部４は上面中央付近に、取付け部５ａ〜５ｄは左右側面の各コーナー部にそれぞれ設けられている。尚、テレビジョン受像機のフロントキャビネット１にスピーカボックス３を確実に固定するための取付け部５ａ〜５ｄの個数、位置が、これに限られないことは言うまでもない。
【００３０】
このうち、取付け部４は、図３に示すように、スピーカボックス３の開口部側（前面側）からみて水平方向の略中央部に位置するところ、すなわち、ウーハー用スピーカユニット１２の近傍位置において、上方向へ突出した状態で設けられている。この取付け部４の形状は、図２に示すように、先端部を凹状に切り欠き、該凹状部分を厚み方向に円筒状に貫通した形状としている。該取付け部４には、図２の６ｅに示す円筒状の防振部材（本実施形態ではゴムブッシュを使用）が先端から挿入され、図３に示すように前記凹状の切り欠き部に防振部材６ｅを挟持して固定している。
【００３１】
この取付け部４を設ける位置は、上述したように、スピーカボックス３のフロントキャビネット３ａの上面中央部としているが、これはテレビジョン受像機のフロントキャビネット１及びバックキャビネット２により、スピーカボックス３全体を上方から一箇所の支点で吊り下げる構成とするためである。この取付け部４を設ける位置を、スピーカボックス３の振動発生源であるスピーカユニット１２の近傍位置に設けることで、効果的にテレビジョン受像機のフロントキャビネット１及びバックキャビネット２に振動を逃がすことを可能としている。
【００３２】
また、スピーカボックス３の取付け部４が取り付けられる、テレビジョン受像機のフロントキャビネット１の取付け用ボス８ｅは、図５に示すように、映像表示部である液晶パネル２０外周部付近であって、水平方向における中央部近傍であることが望ましい。このようにすることで、図６に示すように、テレビジョン受像機のフロントキャビネット１の中央付近が、背面側（バックキャビネット２側）から引っ張られることとなるため、該テレビジョン受像機のフロントキャビネット１の内面（背面側）と液晶パネル２０の取付け枠である金属製のベゼル２１との隙間が生じるのを防止することが可能となり、このフロントキャビネット１とベゼル２１との間で生じるビビリを抑制することができる。
【００３３】
次に、図２、図３に示すように、スピーカボックス３のフロントキャビネット３ａの外周コーナー部に設けられた４つの取付け部５ａ〜５ｄの形状は、前記取付け部４と同様に、その先端部を内側に凹状に切り欠いた形状とし、各取付け部５ａ〜５ｄには、前記防振部材６ｅと同形状の防振部材６ａ，６ｂ、６ｃ，６ｄ（本実施形態ではゴムブッシュを使用）が凹状部分に挿入固定されている。
【００３４】
これらの防振部材６ａ〜６ｅを各取付け部４，５ａ〜５ｄに挟持して取り付けることで、スピーカボックス３の振動が各取付け部４，５ａ〜５ｄを通じてテレビジョン受像機の筐体へ伝導するのを抑制している。尚、本実施形態では、防振部材の材質にゴムを用いたが、防振部材はこれに限定されるものではなく、例えばばね等を用いてもよい。
【００３５】
また、上述したそれぞれの取付け部４，５ａ〜５ｄの平面的な位置は、図４のＸ−Ｘ線の接合断面からみてそれぞれが略同一平面上に設けられており、これらによって該スピーカボックス３をテレビジョン受像機のキャビネットに固定した際に、スピーカボックス３の取付け振動点が該スピーカボックス３の奥行き方向に増加しない構成としている。図４のＸ−Ｘ線で示すスピーカボックス３のフロントキャビネット３ａとバックキャビネット３ｂとの接合面は、接着部材を塗布して固着してから、該フロントキャビネット３ａに対してバックキャビネット３ｂをねじ（図示しない）で固定することにより、スピーカボックス３の密閉性の向上と振動の防止及び音響特性の向上を図っている。
【００３６】
さらに、本実施形態で用いたスピーカボックスは、内部にウーハースピーカユニット１２を設けた位相反転型のバスレフスピーカボックス３であり、その音響特性を決めるダクトがボックス内部に設けられている。しかるに、薄型テレビジョン受像機の筐体内部にバスレフスピーカボックス３を取り付ける場合、該スピーカボックス３の放音ダクト１３の放音口をテレビジョン受像機の筐体のいずれの方向に設けるかは、このダクト放音口から放出される音圧によるスピーカの振動及び同受像機本体の振動を抑えるうえで極めて重要な要素となる。
【００３７】
本実施形態においては、該ダクト１３の放音口はスピーカボックス３の底面部、すなわち該スピーカユニット１２の開口面（前面）及びその背面とは垂直方向の外部壁面上に設ける必要があり、ここでは図４に示すように、ダクト１３の放音口をスピーカボックス３の底面（下面）に設け、テレビジョン受像機筐体の底面から外部へ放音する構成としている。
【００３８】
尚、本実施形態の場合、一例としてスピーカボックス３をテレビジョン受像機の筐体の下部へ設けたために、放音ダクト１３からの音をテレビジョン受像機筐体の底面部側から放出するようにしたが、例えばスピーカボックス３をテレビジョン受像機の筐体の上部へ設ける場合は、該ダクト１３の放音口はスピーカボックス３の上面壁へ設けるようにしてもよいし、またスピーカボックス３をテレビジョン受像機の筐体の左右側面部へ設けるような場合は、該ダクト１３の放音口をスピーカボックス３の側面壁へ設けてもよい。
【００３９】
次に、該スピーカボックス３をテレビジョン受像機の筐体に取り付ける手順を説明する。図２において、テレビジョン受像機のフロントキャビネット１に設けたボス８ａ〜８ｅを、前記スピーカボックス取付け部４，５ａ〜５ｄに設けた凹部に挟持される前記防振部材６ａ〜６ｅと一体で挿入する。そして、スピーカボックス３を取付けねじ１０ａ〜１０ｄで該スピーカボックス取付け部５ａ〜５ｄと前記ボス８ａ〜８ｅを介してフロントキャビネット１に取付け固定する。したがって、この状態ではスピーカボックス３の中央上部に設けた取付け部４のみ固定されていない。
【００４０】
この後、テレビジョン受像機のバックキャビネット２を同フロントキャビネット１に複数の取付けねじ（図示せず）で押圧し固定する。ここで、テレビジョン受像機のバックキャビネット２の下部内面における水平方向の略中央位置には、スピーカボックス３を固定するための内部貫通のボス９が該バックキャビネット２の前面から内方側に向かって突出して設けられており、テレビジョン受像機のバックキャビネット２の背面側から取付けねじ１１を用いて、バックキャビネット２のボス９、スピーカボックス３の取付け部４、同受像機のフロントキャビネット１のボス８ｅをそれぞれ押圧し固定する。
【００４１】
このように、本実施形態においては、スピーカボックス３をテレビジョン受像機の筐体に固定するのに、スピーカボックス３の外周面に設けたそれぞれの取付け部５ａ〜５ｄを同受像機のフロントキャビネット１のみにボスを介して固定し、一方、スピーカボックス３の上面に設けた一つの取付け部４については、同テレビジョン受像機のフロントキャビネット１とバックキャビネット２の両方により、それぞれのボス８ｅ，９を介して挟持し共締め固定することで、スピーカボックス３をテレビジョン受像機の前面と後面の両キャビネット１、２を用いた一つの固定支点による吊り構成で固定するものである。
【００４２】
以上のとおり、本実施形態によれば、テレビジョン受像機のフロントキャビネット１に、スピーカボックス３のフロントキャビネット３ａ外周に設けられた複数の取付け部５ａ〜５ｄを押圧固定するとともに、同スピーカボックス３のフロントキャビネット３ａ外周の最上部に設けられた一つの取付け部４を、同受像機のフロントキャビネット１及びバックキャビネット２の両方により一点で共締め固定しているので、内蔵スピーカから表示装置の筐体全体への振動伝達を抑制することが可能となり、画面揺れや受像機本体の振動を低減することができる。
【００４３】
また、スピーカボックス３を上部から一点で吊る構成とすることにより、低音再生時のスピーカユニット１２の前面開口部及び背面から放出される音圧の影響を、同受像機筐体の奥行き方向に伝えにくくすることが可能となり、内蔵スピーカから表示装置の筐体全体への振動伝達を抑制することができる。さらに、スピーカボックス３の振動がテレビジョン受像機の筐体へ伝導する経路を一箇所にすることで、キャビネットへの振動を一点に集中して逃がすことができ、振動伝搬経路を少なくすることが可能となる。また、同受像機のバックキャビネット２をスピーカボックス３を介して一箇所で同受像機のフロントキャビネット１と一体に固定しているので、スピーカボックス取付けに必要な同バックキャビネット２に設けるボスの数と作業コストを低減することができる。
【００４４】
尚、上記実施形態においては、スピーカボックス３の一箇所をテレビジョン受像機のフロントキャビネット１及びバックキャビネット２で吊り下げる状態で一点固定しているが、複数の箇所を同受像機のフロントキャビネット１とバックキャビネット２とにより共締め固定しても良い。この場合、共締め固定する複数の箇所は奥行き方向における同一平面上に設けられるのが望ましい。
【００４５】
また、上記実施形態においては、振動体として、スピーカユニット１２を内蔵したスピーカボックス３を、薄型テレビジョン受像機に取り付けるものについて説明したが、単にスピーカユニットをそのまま振動体として表示装置内に取り付ける場合に適用してもよい。この場合も、上記実施形態と同様、スピーカユニットから生じる振動をテレビジョン受像機のフロントキャビネット及びバックキャビネットへ効率的に分散して伝搬するように構成すればよい。
【００４６】
さらに、上記実施形態においては、取付け部４，５ａ〜５ｄをスピーカボックス３のフロントキャビネット３ａに一体で設けたものについて説明したが、これらはスピーカボックス３のバックキャビネット３ｂに設けてもよいことは言うまでもない。
【００４７】
そしてまた、上記実施形態においては、テレビジョン受像機のフロントキャビネット１に、スピーカボックス３の外周部に設けられた複数の取付け部５ａ〜５ｄを押圧固定するとともに、テレビジョン受像機のフロントキャビネット１及びバックキャビネット２の両方にて、該スピーカボックス３の最上部に設けられた取付け部４を共締め固定しているが、振動体の少なくとも一部を表示装置のバックキャビネットに取付け固定するとともに、少なくとも他の一部を表示装置のフロントキャビネットに取付け固定することで、該振動体の振動を表示装置のフロントキャビネット及びバックキャビネットに分散して伝搬させる構成としてもよい。
【００４８】
図７は、本発明に係わる薄型テレビジョン受像機に対して加速度−振動周波数特性の測定試験を実施した際の加振点及び応答点の位置の一例を示す図である。本測定試験において、スピーカボックス３内部におけるスピーカユニット１２の加振点３１（開口部付近）を周波数１０Ｈｚ〜２０２０Ｈｚにわたって１００００（相対値）の力で振動させたとき、共締め固定した応答点３２付近の液晶パネル２０の振動を測定した。
【００４９】
図８は、図７に示した応答点３２付近の液晶パネル２０における加速度−振動周波数特性の一例を示す図で、図中、縦軸に加速度係数（ｍｍ／ｓ２）、横軸に振動周波数（Ｈｚ）を示す（両方共対数表示）。特性データ３３（図中破線）は応答点３２において共締め固定しないときの加速度−振動周波数特性を示し、この場合、スピーカボックス３は、薄型テレビジョン受像機のフロントキャビネット１の４箇所（図２に示したボス８ａ〜８ｄ）のみに固定されている。また、特性データ３４（図中実線）は応答点３２において共締め固定したときの加速度−振動周波数特性を示し、この場合、スピーカボックス３は、薄型テレビジョン受像機のフロントキャビネット１の４箇所（ボス８ａ〜８ｄ）に固定されると共に、フロントキャビネット１の一点（図２に示したボス８ｅ）及び図２に示したバックキャビネット２のボス９によって共締め固定されている。すなわち、スピーカボックス３は、テレビジョン受像機のフロントキャビネット１及びバックキャビネット２の両方にて、スピーカボックス３の上部に設けられた取付け部４が共締め固定されている。
【００５０】
図８において、図７に示した加振点３１（開口部付近）を、周波数１０Ｈｚ〜２０２０Ｈｚにわたって１００００（相対値）の力で振動させた時、共締め固定した応答点３２付近の液晶パネル２０の振動を測定した実験結果（加速度−振動周波数特性）を示す。
ここで、スピーカの低音再生域（２０Ｈｚ〜２００Ｈｚ近辺）の振動がスピーカユニット１２の開口部に発生したとき、スピーカボックス３の応答点３２をテレビジョン受像機のフロントキャビネット１及びバックキャビネット２により共締め固定することで、薄型テレビジョン受像機の筐体振動が最も大きくなり易い画面中央部付近における振動レベルが大きく減少していることがわかる。
【００５１】
特に、この周波数帯域（２０Ｈｚ〜２００Ｈｚ近辺）の振動は、テレビジョン受像機の画面振動が目立つ帯域であり、液晶パネル２０では縦軸の加速度係数が１００００以上になると画面振動が目立ってくるが、スピーカボックス３をテレビジョン受像機のフロントキャビネット１及びバックキャビネット２により共締め固定（一点固定）することによって、振動系の加速度を十分に抑制することが可能となり、低音再生域をより強調した薄型テレビジョン受像機を実現することができる。
【図面の簡単な説明】
【００５２】
【図１】本発明の一実施形態による薄型テレビジョン受像機の内部にスピーカボックスを取り付けた構成について示す側面図である。
【図２】本発明の一実施形態による薄型テレビジョン受像機の内部にスピーカボックスを取り付けた場合の、後方（背面側）からみた部分斜視図である。
【図３】本発明の一実施形態に適用されるスピーカボックスの前方（前面側）からみた外観斜視図である。
【図４】本発明の一実施形態に適用されるスピーカボックスの底面図である。
【図５】本発明の一実施形態による薄型テレビジョン受像機を前方からみた部分斜視図である。
【図６】本発明の一実施形態による薄型テレビジョン受像機を示す要部側断面図である。
【図７】本発明に係わる薄型テレビジョン受像機に対して加速度−振動周波数特性の測定試験を実施した際の加振点及び応答点の位置の一例を示す図である。
【図８】図７に示した応答点付近の液晶パネルにおける加速度−振動周波数特性の一例を示す図である。
【符号の説明】
【００５３】
１…テレビジョン受像機のフロントキャビネット、２…テレビジョン受像機のバックキャビネット、３…スピーカボックス、３ａ…スピーカボックスのフロントキャビネット、３ｂ…スピーカボックスのバックキャビネット、４、５ａ，５ｂ、５ｃ、５ｄ…スピーカボックス取付け部、６ａ，６ｂ，６ｃ，６ｄ，６ｅ…防振部材、７ａ，７ｂ，７ｃ，７ｄ，７ｅ，７ｆ…スピーカボックス取付け孔、８ａ，８ｂ，８ｃ，８ｄ，８ｅ、９…ボス、１０ａ，１０ｂ，１０ｃ，１０ｄ、１１…取付けねじ、１２…スピーカユニット（ウーハー）、１３…放音ダクト、２０…液晶パネル、２１…ベゼル、３１…加振点、３２…応答点、３３，３４…特性データ。
【図１】
2004187271.tif 000003
【図２】
2004187271.tif 000004
【図３】
2004187271.tif 000005
【図４】
2004187271.tif 000006
【図５】
2004187271.tif 000007
【図６】
2004187271.tif 000008
【図７】
2004187271.tif 000009
【図８】
2004187271.tif 000010